(57)【要約】【課題】アンビエント表示の斬新なグラデーションを実現する。【解決手段】光源（例えばＬＥＤ５１１）と、アンビエント表示領域（例えばアンビエント表示領域Ｒ１）を有する文字板（例えば文字板２０）と、光源からの光に基づいてアンビエント表示領域を照明する導光体（例えば導光体６０）とを備え、導光体は、正面視でアンビエント表示領域に重なる領域において、文字板に対して垂直な方向の厚みが徐々に変化する部位（例えば薄肉部６３）を有する、車両用表示装置（例えば車両用表示装置１）が開示される。【選択図】図６
2020200004.tif 000002
【特許請求の範囲】
【請求項１】
光源と、
アンビエント表示領域を有する文字板と、
前記光源からの光に基づいて前記アンビエント表示領域を照明する導光体とを備え、
前記導光体は、正面視で前記アンビエント表示領域に重なる領域において、前記文字板に対して垂直な方向の厚みが徐々に変化する部位を有する、車両用表示装置。
【請求項２】
前記アンビエント表示領域は、円環状の形態であり、
前記部位は、正面視で前記アンビエント表示領域における前記円環状の周方向の端部に重なる態様で、延在する、請求項１に記載の車両用表示装置。
【請求項３】
前記部位は、正面視で前記アンビエント表示領域の前記端部における縁部と重なる位置に向けて徐々に小さくなる態様で前記厚みが変化する、請求項２に記載の車両用表示装置。
【請求項４】
前記アンビエント表示領域に出力されるアンビエント表示は、エコ運転に関連するパラメータの値を表す、請求項１から３のうちのいずれか１項に記載の車両用表示装置。
【発明の詳細な説明】
【技術分野】
【０００１】
本開示は、車両用表示装置に関する。
【背景技術】
【０００２】
アンビエント表示を出力する車両用表示装置が知られている。
【先行技術文献】
【特許文献】
【０００３】
【特許文献１】特開２００２−７９８４７号公報
【発明の概要】
【発明が解決しようとする課題】
【０００４】
しかしながら、上述のような従来技術では、アンビエント表示の斬新なグラデーションを実現することが難しい。
【０００５】
そこで、本開示は、アンビエント表示の斬新なグラデーションを実現することを目的とする。
【課題を解決するための手段】
【０００６】
１つの側面では、光源と、
アンビエント表示領域を有する文字板と、
前記光源からの光に基づいて前記アンビエント表示領域を照明する導光体とを備え、
前記導光体は、正面視で前記アンビエント表示領域に重なる領域において、前記文字板に対して垂直な方向の厚みが徐々に変化する部位を有する、車両用表示装置が開示される。
【発明の効果】
【０００７】
本開示によれば、アンビエント表示の斬新なグラデーションを実現することが可能となる。
【図面の簡単な説明】
【０００８】
【図１】一実施例による車両用表示装置の一例を概略的に示す正面図である。
【図２】車両用表示装置の分解斜視図である。
【図３】文字板を外した状態の車両用表示装置の斜視図である。
【図４】導光体と回路基板（光源）との関係を説明する斜視図である。
【図５】導光体の単品状態の斜視図である。
【図６】図１のラインＡ−Ａに沿った断面図である。
【図７】薄肉部の延在範囲とアンビエント表示領域との間の関係を示す正面図（平面図）である。
【発明を実施するための形態】
【０００９】
以下、添付図面を参照しながら各実施例について詳細に説明する。
【００１０】
図１は、一実施例による車両用表示装置１の一例を概略的に示す正面図である。図１には、互いに直交する３方向であるＸ方向、Ｙ方向、及びＺ方向が定義されている。以下では、Ｚ方向の正側を前側とし、Ｚ方向の負側を後側又は背面側とする。なお、以下の各図では、見易さのために、複数存在する同一属性の部位には、一部のみしか参照符号が付されていない場合がある。
【００１１】
車両用表示装置１は、車両に搭載される。車両用表示装置１は、例えばメータとして具現化されてよい。例えば、車両用表示装置１は、筐体１０１を有し、インストルメントパネルに組み込まれる。
【００１２】
車両用表示装置１は、図１に示すように、例えば、速度メータ１００ａ等を表示するとともに、アンビエント表示領域Ｒ１において、アンビエント表示を出力する。すなわち、車両用表示装置１は、アンビエント表示領域Ｒ１にアンビエント表示に係る意匠が形成された文字板２０を備える。なお、アンビエント表示領域Ｒ１は、光透過性を有し、文字板２０の周辺部（例えば図１では、速度メータ１００ａの周辺部であって、速度メータ１００ａの上側）に配置されてよい。アンビエント表示領域Ｒ１内のアンビエント表示に係る意匠は、任意であるが、図１では、円形の速度メータ１００ａに対応して、円環状の形態である。ただし、図１では、アンビエント表示領域Ｒ１の円環状の形態は、完全な円環に係る形態ではなく、円環の一部に係る形態である。また、図１では、アンビエント表示領域Ｒ１の円環状の形態は、径方向に、比較的広い幅を有する。なお、アンビエント表示に係る意匠は、図１に示すものに限られず、図１に示すものが径方向や周方向等で複数の分割された形態であってもよい。
【００１３】
また、車両用表示装置１における各種メータの配置や種類も任意である。また、車両用表示装置１は、各種メータがデジタル式で実現されてもよいし、各種メータがアナログ式で実現されてもよい。例えば、速度メータ１００ａは、アナログ式（機械的な針等を用いた表示方式）で実現されてもよい。
【００１４】
アンビエント表示は、任意の情報を表すものであってもよい。例えば、アンビエント表示は、エコ運転（燃費及び／又は電費の良い運転）に関連するパラメータの値を表す。エコ運転に関連するパラメータは、エコ運転であるか否かの２値であってもよいし、３段階以上でエコ度合いを表してもよい。いずれの場合も、アンビエント表示は、表示色（例えば赤〜緑）でパラメータの値を表す。ただし、変形例では、アンビエント表示は、点灯される領域の広さ（範囲）のような他の要素によってパラメータの値を表してもよい。
【００１５】
例えば、メータＥＣＵ（Ｅｌｅｃｔｒｏｎｉｃ  Ｃｏｎｔｒｏｌ  Ｕｎｉｔ）（図示せず）は、エコ度合いを表す情報を、ＣＡＮ（ｃｏｎｔｒｏｌｌｅｒ  ａｒｅａ  ｎｅｔｗｏｒｋ）などの適切なバスを介して受信し、受信した情報に基づいて、アンビエント表示の点灯状態や点灯色を制御する。なお、この場合、エコ度合いを表す情報は、駆動系を制御する他のＥＣＵにより生成されてよい。
【００１６】
次に、図２以降を参照して、アンビエント表示に係る照明構造について説明する。図２は、車両用表示装置１の分解斜視図であり、図３は、文字板２０を外した状態の車両用表示装置１の斜視図であり、図４は、導光体６０と回路基板５０（光源）との関係を説明する斜視図であり、図５は、導光体６０の単品状態の斜視図であり、図６は、図１のラインＡ−Ａに沿った断面図である。
【００１７】
車両用表示装置１は、図２に示すように、文字板２０と、中ケース３０と、外ケース４０と、回路基板５０と、導光体６０とを含む。なお、各構成要素は、図２に示すように、前側から順に、文字板２０、導光体６０、中ケース３０、回路基板５０、及び外ケース４０に配置される。
【００１８】
文字板２０は、上述のとおり、アンビエント表示領域Ｒ１を備える。なお、本実施例では、アンビエント表示領域Ｒ１は、１箇所だけであるが、異なる情報を表示するために複数箇所設けられてもよい。あるいは、アンビエント表示領域Ｒ１は、情報を表示せず、単なる意匠性を高めるための領域であってもよい。
【００１９】
中ケース３０は、樹脂等により形成され、外ケース４０と協動して車両用表示装置１の筐体１０１を形成する。中ケース３０は、文字板２０と外ケース４０との間に配置され、文字板２０や導光体６０を支持する。
【００２０】
外ケース４０は、樹脂等により形成される。外ケース４０は、車両用表示装置１の内側（車両前側）の外表面を形成する。外ケース４０は、回路基板５０を支持する。
【００２１】
回路基板５０は、図２に示すように、中ケース３０と外ケース４０との間に設けられる。回路基板５０は、図２及び図４に示すように、複数のＬＥＤ（ｌｉｇｈｔ  ｅｍｉｔｔｉｎｇ  ｄｉｏｄｅ）５１が実装される。複数のＬＥＤ５１のうちの一部（以下では、区別のための「ＬＥＤ５１１」と称する）は、図４に示すように、アンビエント表示領域Ｒ１用であり、導光体６０のＸ方向の両端部６４にＺ方向で対向して設けられる。なお、ＬＥＤ５１１は、導光体６０のＸ方向のそれぞれの端部６４に３つずつ配置され、各３つのＬＥＤ５１１は、異なる色を発生するものであってよい。この場合、アンビエント表示の色のバリエーションを増加できる。
【００２２】
導光体６０は、図２に示すように、文字板２０の背面側に設けられる。導光体６０は、ＬＥＤ５１１（光源の一例）からの光に基づいてアンビエント表示領域Ｒ１（それに伴いアンビエント表示領域Ｒ１内の意匠）を照明することで、アンビエント表示を実現する。すなわち、導光体６０は、ＬＥＤ５１１からの光を導き、その前面側から前方向に出射することで、アンビエント表示領域Ｒ１（それに伴いアンビエント表示領域Ｒ１内の意匠）を、アンビエント表示領域Ｒ１の背面側から照明する。導光体６０は、アンビエント表示領域Ｒ１を適切に照明できるように、正面視（Ｚ方向に視たビュー）でアンビエント表示領域Ｒ１（それに伴いアンビエント表示領域Ｒ１内の意匠）に重なる領域に延在する。
【００２３】
導光体６０は、図５に示すように、本体部６１と、薄肉部６３と、端部６４と、取付部６２１、６２２とを含む。
【００２４】
導光体６０は、取付部６２１、６２２により中ケース３０に取り付けられる。取付部６２１は、後側（Ｚ方向負側）に突出する突起部（図示せず）を有し、当該突起部は、中ケース３０に形成される穴に嵌合される。取付部６２２は、中ケース３０に形成される爪部３２（図３参照）と係合する。
【００２５】
本体部６１及び薄肉部６３は、前面側の表面が、導光体６０の出射面の全体を形成する。本実施例では、本体部６１の方が薄肉部６３よりも大きく、本体部６１の前面側の表面が、導光体６０の出射面の大部分を形成し、薄肉部６３の前面側の表面が、導光体６０の出射面の残りの一部を形成する。このため、本体部６１及び薄肉部６３は、正面視でアンビエント表示領域Ｒ１（それに伴いアンビエント表示領域Ｒ１内の意匠）に重なる。なお、図６では、本体部６１におけるアンビエント表示領域Ｒ１にＺ方向で対向する出射面の範囲が符合６０１で示され、薄肉部６３におけるアンビエント表示領域Ｒ１にＺ方向で対向する出射面の範囲が符合６０３で示されている。
【００２６】
なお、正面視で、本体部６１及び薄肉部６３の延在範囲は、アンビエント表示領域Ｒ１と完全に一致する必要はないが、好ましくは、本体部６１及び薄肉部６３の延在範囲は、アンビエント表示領域Ｒ１を包含する。この場合、アンビエント表示領域Ｒ１の全体を本体部６１及び薄肉部６３に係る出射面によりカバーできる。
【００２７】
なお、本体部６１及び薄肉部６３は、背面側の表面に微細な凹凸（図示せず）を有し、背面側の表面は、導光体６０内に導入された光を、前面側に向けて反射させる機能を有する。
【００２８】
薄肉部６３は、本体部６１よりも肉厚（Ｚ方向の厚み）が薄く形成される。図５には、本体部６１と薄肉部６３との間の境界を示す稜線Ｌ１が示されるとともに、薄肉部６３における板厚の変化を示す他の稜線Ｌ２、Ｌ３が示される。
【００２９】
薄肉部６３は、前側の表面が背面側（Ｚ方向負側）に向かって傾斜する態様で、厚みが徐々に変化する。すなわち、薄肉部６３は、背面側の表面は本体部６１の背面側の表面と面一であるが、前側の表面が、本体部６１の前側の表面よりも、背面側に位置する。より具体的には、薄肉部６３は、稜線Ｌ１から稜線Ｌ２に向かうにつれて板厚が徐々に低減し、更に稜線Ｌ２から稜線Ｌ３に向かうにつれて板厚が徐々に低減し、更に稜線Ｌ３から縁部Ｌ４に向かうにつれて板厚が徐々に低減する。この場合、薄肉部６３における板厚の変化は、例えば、略一定の勾配で実現されてよい。
【００３０】
端部６４は、上述のように、ＬＥＤ５１１に対向し、導光体６０内に光を取り込む機能を有する。なお、端部６４の厚みは、本体部６１の厚みと同じであってよい。
【００３１】
ところで、一般的に、導光体から出射する光の光量は、出射位置での導光体の厚み（導光体６０の場合は、Ｚ方向の寸法）に応じて変化し、出射位置での導光体の厚みが大きいほど多くなる傾向となる。
【００３２】
この点を利用して、本実施例では、上述のように、導光体６０は、アンビエント表示領域Ｒ１を照明する本体部６１及び薄肉部６３は、厚みが異なるので、アンビエント表示領域Ｒ１における光量が、アンビエント表示領域Ｒ１全体にわたり均一とならず、アンビエント表示領域Ｒ１内の位置に応じて変化する。これにより、アンビエント表示の斬新なグラデーションを実現できる。
【００３３】
具体的には、本実施例では、薄肉部６３は、上述のように、厚みが徐々に変化するので、薄肉部６３が形成する出射面から出射される光は、厚みの変化に応じたグラデーションを実現できる。
【００３４】
ここで、一般的には、グラデーションを実現するためには、文字板２０のような文字板にドット印刷が施される。この場合、文字板に不透過のドット形状を印刷し、ドットサイズを小から徐々に大にすることで、発光する面積を徐々に減らし、グラデーションを演出できる。
【００３５】
これに対して、本実施例によれば、かかるドット印刷を利用せずに、薄肉部６３によりグラデーションを実現できるので、ドット印刷とは異なる趣向の斬新なグラデーションを演出できる。
【００３６】
次に、図７を更に参照して、薄肉部６３の延在範囲とアンビエント表示領域Ｒ１との間の好ましい関係について説明する。
【００３７】
図７は、薄肉部６３の延在範囲とアンビエント表示領域Ｒ１との間の関係を示す正面図（平面図）である。図７では、アンビエント表示領域Ｒ１の背後に位置する導光体６０（及びその薄肉部６３）が透視で示されている。
【００３８】
本実施例において、アンビエント表示領域Ｒ１のうちの、グラデーションを実現する領域は、アンビエント表示領域Ｒ１における意匠に応じて決定されてよく、任意である。
【００３９】
本実施例では、アンビエント表示領域Ｒ１における意匠（又はアンビエント表示領域Ｒ１自体の形状）は、図１に示すように、円環状の形態である。このため、アンビエント表示領域Ｒ１のうちの、グラデーションを実現する領域は、好ましくは、アンビエント表示領域Ｒ１の周方向の端部である。この場合、円環状のアンビエント表示領域Ｒ１の周方向の端部においてグラデーションが実現されるので、周方向に沿った斬新なグラデーションを演出できる
このような周方向に沿った斬新なグラデーションを演出するために、薄肉部６３は、好ましくは、アンビエント表示領域Ｒ１の周方向の端部において、周方向の縁部に向かうにつれて光量が小さくなるグラデーションが実現されるように、配置されかつ厚みが変化される。
【００４０】
具体的には、薄肉部６３は、図７に示すように、正面視でアンビエント表示領域Ｒ１の周方向の端部Ｒ１１に重なる態様で延在する。また、薄肉部６３は、図７に示すように、正面視でアンビエント表示領域Ｒ１の周方向の端部Ｒ１１における縁部Ｒ１１１と重なる位置（縁部Ｌ４参照）に向けて徐々に小さくなる態様で厚みが変化する。すなわち、薄肉部６３は、正面視で、アンビエント表示領域Ｒ１の周方向の端部Ｒ１１と重なる領域において、縁部Ｌ４への周方向に外側に向かう際、上述した稜線Ｌ１から稜線Ｌ２、Ｌ３を順に跨いで縁部Ｌ４に至る。これにより、アンビエント表示領域Ｒ１の周方向の端部Ｒ１１において、縁部Ｒ１１１に向かうにつれて徐々に暗くなる態様で、周方向に沿った斬新なグラデーションを演出できる。
【００４１】
また、本実施例においては、稜線Ｌ３は、正面視でアンビエント表示領域Ｒ１に重なる領域内で、縁部Ｌ４に吸収される。これにより、縁部Ｒ１１１に沿って方向でも板厚が若干変化するので、当該方向（径方向に近い方向）に沿って明るさ（グラデーション）の調整を図ることができる。
【００４２】
なお、本実施例において、アンビエント表示において本体部６１と薄肉部６３との間での境界（稜線Ｌ１付近）に起因したライン（明るさの変化によるエッジ）を見立たないようにするために、本体部６１と薄肉部６３との間は、曲面（Ｒ面）を介して滑らかに接続されてもよい。すなわち、稜線Ｌ１で接続される２つの表面は、前側が凸となる態様の曲面を介して接続されてもよい。
【００４３】
以上、各実施例について詳述したが、特定の実施例に限定されるものではなく、特許請求の範囲に記載された範囲内において、種々の変形及び変更が可能である。また、前述した実施例の構成要素を全部又は複数を組み合わせることも可能である。
【００４４】
なお、以上の実施例に関し、さらに以下の付記を開示する。
【００４５】
［付記１］
光源（例えばＬＥＤ５１１）と、
アンビエント表示領域（例えばアンビエント表示領域Ｒ１）を有する文字板（例えば文字板２０）と、
前記光源からの光に基づいて前記アンビエント表示領域を照明する導光体（例えば導光体６０）とを備え、
前記導光体は、正面視で前記アンビエント表示領域に重なる領域において、前記文字板に対して垂直な方向の厚みが徐々に変化する部位（例えば薄肉部６３）を有する、車両用表示装置（例えば車両用表示装置１）。
【００４６】
［付記２］
前記アンビエント表示領域は、円環状の形態であり、
前記部位は、正面視で前記アンビエント表示領域における前記円環状の周方向の端部（例えば端部Ｒ１１）に重なる態様で、延在する、付記１に記載の車両用表示装置。
【００４７】
［付記３］
前記部位は、正面視で前記アンビエント表示領域の前記端部における縁部（例えば縁部Ｒ１１１）と重なる位置（例えば縁部Ｌ４）に向けて徐々に小さくなる態様で前記厚みが変化する、付記２に記載の車両用表示装置。
【００４８】
［付記４］
前記アンビエント表示領域に出力されるアンビエント表示は、エコ運転に関連するパラメータの値を表す、付記１から３のうちのいずれか１項に記載の車両用表示装置。
【符号の説明】
【００４９】
１  車両用表示装置
２０  文字板
３０  中ケース
４０  外ケース
５０  回路基板
６０  導光体
６１  本体部
６３  薄肉部
６４  端部
１００ａ  速度メータ
１０１  筐体
６２１  取付部
６２２  取付部
Ｌ１  稜線
Ｌ２  稜線
Ｌ３  稜線
Ｌ４  縁部
Ｒ１  アンビエント表示領域
Ｒ１１  端部
Ｒ１１１  縁部
【図１】
2020200004.tif 000003
【図２】
2020200004.tif 000004
【図３】
2020200004.tif 000005
【図４】
2020200004.tif 000006
【図５】
2020200004.tif 000007
【図６】
2020200004.tif 000008
【図７】
2020200004.tif 000009